(57)【特許請求の範囲】
【請求項１】
光軸に沿って物体側から順に、正の屈折力を有する第１レンズ群、負の屈折力を有する
第２レンズ群、正の屈折力を有する第３レンズ群、負の屈折力を有する第４レンズ群、正
の屈折力を有する第５レンズ群、負の屈折力を有する第６レンズ群を配し、第２レンズ群
と第３レンズ群との間に絞りを有してなるズームレンズにおいて、
広角端から望遠端への変倍に際し、前記第１レンズ群および前記第４レンズ群を固定し、前記第２レンズ群を像側へ、前記第３レンズ群を物体側へ、前記第５レンズ群を像側へ移動させて変倍を行い、
第１レンズ群が、群内に光路を折り曲げる為の反射光学素子を有することを特徴とする
ズームレンズ。
【請求項２】
請求項１記載のズームレンズにおいて、
第３群が物体側から順に、物体側により強い凸面を向けた正メニスカスレンズ、両凸正レンズと両凹負レンズとの接合レンズ、及び両凸の正レンズからなることを特徴とするズームレンズ。
【請求項３】
請求項１に記載のズームレンズにおいて、
前記第３群が物体側から順に、物体側により強い凸面を向けた両凸正レンズ、両凸正レンズと両凹負レンズとの接合レンズ、及び両凸の正レンズからなることを特徴とするズームレンズ。
【請求項４】
請求項１〜３の任意のに記載のズームレンズにおいて、
広角端における半画角：３８度以上で、変倍比：５倍以上であることを特徴とするズームレンズ。
【請求項５】
請求項１〜４の任意の１に記載のズームレンズにおいて、
第１レンズ群の焦点距離：ｆ１、広角端における全系の焦点距離：ｆｗ、望遠端における全系の焦点距離：ｆｔが、条件：
(１)  0.5  ＜  ｆ1／√（ｆｗ×ｆｔ）  ＜  2
を満足することを特徴とするズームレンズ。
【請求項６】
請求項１〜５の任意の１に記載のズームレンズにおいて、
第２レンズ群の焦点距離：ｆ２、広角端における全系の焦点距離：ｆｗ、望遠端における全系の焦点距離：ｆｔが、条件：  
（２）  -1.0  ＜  ｆ2／√（ｆｗ×ｆｔ）  ＜  -0.3    
を満足することを特徴とするズームレンズ。
【請求項７】
請求項１〜６の任意の１に記載のズームレンズにおいて、  
絞りが、変倍時に固定されることを特徴とするズームレンズ。  
【請求項８】
請求項１〜７の任意の１に記載のズームレンズにおいて、
フォーカシングを、第５レンズ群により行うことを特徴とするズームレンズ。
【請求項９】
ズームレンズによる像を撮像素子により撮像する撮像装置であって、
ズームレンズとして、請求項１〜８の任意の１に記載のズームレンズを有することを特徴とする撮像装置。
【請求項１０】
請求項１〜８の任意の１に記載のズームレンズであって、撮像素子の撮像面上に結像させるものであり、
第１レンズ群が群内に有する、光路を折り曲げるための反射光学素子が、上記光路を、上記撮像面の長手方向に折り曲げることを特徴とするズームレンズ。
【請求項１１】
請求項１０記載のズームレンズにおいて、
広角端における全系の焦点距離ｆｗ、最大像高：Ｙ’が、条件：
（３）  0.5  ＜  ｆｗ／Ｙ’  ＜  1.4
を満足することを特徴とするズームレンズ。
【請求項１２】
請求項１０または１１記載のズームレンズにおいて、
最物体側面から反射光学素子の反射面までの光軸上の距離：Ｌ１、上記反射面から像面までの光軸上の距離：Ｌ２が、条件：
（４）  0.15  ＜  Ｌ１／Ｌ２  ＜  0.22
を満足することを特徴とするズームレンズ。
【請求項１３】
請求項１０〜１２の任意の１に記載のズームレンズにおいて、
第１レンズ群の光軸上の厚さ（最物体側面から最像側面に至る光軸上の距離）：Ｌｇ１が、条件：  
（５）  3  ＜  Ｌｇ１／ｆｗ  ＜  7
を満足することを特徴とするズームレンズ。
【請求項１４】
請求項１０〜１３の任意の１に記載のズームレンズにおいて、
望遠端における全系の焦点距離：ｆｔ、第１レンズ群内の反射面から像面までの光軸上の距離：Ｌ２が条件：
（６）  1  ＜  Ｌ２／ｆｔ  ＜  3
を満足することを特徴とするズームレンズ。
【請求項１５】
請求項１０〜１４の任意の１に記載のズームレンズにおいて、
反射光学素子より物体側にある光学素子の合成焦点距離：ｆＬ１、広角端における全系の焦点距離：ｆｗが、条件：  
（７）  2  ＜  ｜ｆＬ１／ｆｗ｜  ＜  5
を満足することを特徴とするズームレンズ。
【請求項１６】
請求項１０〜１５の任意の１に記載のズームレンズにおいて、
第６レンズ群が変倍時に固定され、最物体面から開口絞りまでの光軸上の距離：Ｔａｐ、ズームレンズの全長：Ｔが、条件：
（８）  0.3  ＜  Ｔａｐ／Ｔ  ＜  0.7
を満足することを特徴とするズームレンズ。
【請求項１７】
請求項１０〜１６の任意の１に記載のズームレンズと撮像素子を有することを特徴とする撮像装置。
【発明の詳細な説明】
【技術分野】
【０００１】
この発明はズームレンズおよび撮像装置に関する。この発明のズームレンズは特に、固体撮像素子等を撮像手段としたビデオカメラや電子スチルカメラ等に好適に用いることができる。従って、この発明の撮像装置は、上記ビデオカメラや電子スチルカメラ等として好適に実施できる。
【背景技術】
【０００２】
近年、普及の著しいデジタルカメラは、より高性能化・小型化が求められ、撮影レンズとして用いられるズームレンズにも高性能化と小型化の両立が求められている。ズームレンズの高性能化は、ハイエンドのデジタルカメラへの適用を考えると、少なくとも５００万〜１０００万画素の撮像素子に対応した解像力を全ズーム域にわたって有することが必要である。  
さらに、撮影レンズの広画角化、高変倍化を望むユーザも多く、ズームレンズの広角端の半画角は３８度以上であることが望まれている。半画角：３８度は、３５ｍｍ銀塩カメラ（いわゆるライカ版）換算の焦点距離で２８ｍｍに相当する。また高変倍化については変倍比：５以上が求められている。
【０００３】
カメラを小型化する点に関しては、ズームレンズの光学系内にプリズムを挿入して光路を折り曲げることにより、ズームレンズが搭載されるカメラの薄型化を図ることが知られている（特許文献１、２）。
【０００４】
特許文献１、２に記載されたズームレンズはビデオカメラに適しており、具体的な実施例では、変倍比は８倍以上（特許文献１）あるいは７倍以上（特許文献２）と大きいが、広角端における半画角は３３度程度（特許文献１）あるいは３４度程度（特許文献２）であって、デジタルカメラに対して昨今要望されている半画角：３８度以上は達成されていない。
【発明の概要】
【発明が解決しようとする課題】
【０００５】
この発明は上述した事情に鑑みてなされたものであり、小型・高性能のデジタルカメラ用のズームレンズとして特に適し、広角端の半画角：３８度以上、変倍比：５倍以上で５００万〜１０００万画素程度の撮像素子に対応した解像力を実現可能なズームレンズの実現、さらには、このようなズームレンズを用いる撮像装置の実現を課題とする。
【課題を解決するための手段】
【０００６】
この発明のズームレンズは「光軸に沿って物体側から順に、正の屈折力を有する第１レ
ンズ群、負の屈折力を有する第２レンズ群、正の屈折力を有する第３レンズ群、負の屈折
力を有する第４レンズ群、正の屈折力を有する第５レンズ群、負の屈折力を有する第６レ
ンズ群を配し、第２レンズ群と第３レンズ群との間に絞りを有してなるズームレンズ」で
あって、以下の如き特徴を有する。
即ち、広角端から望遠端への変倍に際し、第１レンズ群および第４レンズ群を固定し、第２レンズ群を像側へ、前記第３レンズ群を物体側へ、前記第５レンズ群を像側へ移動させて変倍を行う。また、第１レンズ群が、群内に光路を折り曲げる為の反射光学素子を有する(請求項１)。
【０００７】
「第１レンズ群が反射光学素子を群内に有する。」とは、反射光学素子が第１レンズ群の群構成要素として第１レンズ群に配されていることを意味する。
第３群は、物体側から順に、物体側により強い凸面を向けた正メニスカスレンズ、両凸正レンズと両凹負レンズとの接合レンズ、及び両凸の正レンズからなることができる(請求項２)。
第３群はまた、物体側から順に、物体側により強い凸面を向けた両凸正レンズ、両凸正レンズと両凹負レンズとの接合レンズ、及び両凸の正レンズからなることができる(請求項３)。
【０００８】
請求項１記載のズームレンズは、第１レンズ郡中に反射光学素子を用いて光路を曲げることにより、デジタルカメラ等に用いた場合「カメラの入射光軸方向の厚さ」を薄くすることが出来る。また、反射光学系を群内に有する第１レンズ群は、変倍に際して固定であるので、デジタルカメラ等の撮像装置のズームレンズとして用いた場合、変倍に際して第１レンズ群が変位しないので撮像装置の外形形状が変倍により変化しない。従って、撮像装置の防水処理等を容易かつ確実にすることができる。
【０００９】
また、反射光学素子が第１レンズ群の群内に用いられ、第１レンズ群が変倍に際して固定であるので、変倍に際して移動する移動群（第１、第４レンズ群以外のレンズ群）の変位は「光路が直線状である部分」において行われるので、移動群の変位機構を簡素化できる。
【００１０】
請求項１〜３の任意の１記載のズームレンズは、広角端における半画角：３８度以上で、変倍比：５倍以上であることができる（請求項４）。このような広画角、高変倍比を実現することにより、ユーザの要望に応え得る良好なデジタルカメラを実現できる。  
請求項１〜４の任意の１記載のズームレンズは、第１レンズ群の焦点距離：ｆ１、広角端における全系の焦点距離：ｆｗ、望遠端における全系の焦点距離：ｆｔが、条件：
(１)    0.5  ＜  ｆ1／√（ｆｗ×ｆｔ）  ＜  2  
を満足することが好ましい（請求項５）。  
請求項１〜５の任意の１に記載のズームレンズは、第２レンズ群の焦点距離：ｆ２、広角端における全系の焦点距離：ｆｗ、望遠端における全系の焦点距離：ｆｔが、条件：
（２）  -1.0  ＜  ｆ2／√（ｆｗ×ｆｔ）  ＜  -0.3    
を満足することが好ましい（請求項６）。
【００１１】
請求項１〜６の任意の１に記載のズームレンズは「絞りが、変倍時に固定される」ことが好ましい（請求項７）。絞り（シャッターを含む場合もある）は、変倍に際して変位させることも考えられるが、変倍時に移動させると「光量をコントロールする調節機構も一緒に移動させる」こととなり、鏡胴が径方向に大型化し易い。従って、絞りは変倍時に固定する方が好ましい。
【００１２】
請求項１〜７の任意の１に記載のズームレンズは「変倍時およびフォーカシング時に、第６レンズ群が固定」である。
第１レンズ群、第４レンズ群とともに第６レンズ群を変倍時に固定することにより、６群構成という比較的多いレンズ群構成にも拘らず鏡胴ユニットの大型化を防ぎつつ、広角化、高変倍化を容易に実現できる。請求項１〜７の任意の１に記載のズームレンズは「フォーカシングを、第５レンズ群により行う」ことが好ましい（請求項８）。
【００１３】
この発明の撮像装置は「ズームレンズによる像を撮像素子により撮像する撮像装置」であって、ズームレンズとして上記請求項１〜８の任意の１に記載のズームレンズを有することを特徴とする（請求項９）。  
請求項５における条件（１）は、第１レンズ群の焦点距離：ｆ１を、レンズ性能に応じて適切に設定するための条件である。パラメータ：ｆ１／√（ｆｗ×ｆｔ）における分母：√（ｆｗ×ｆｔ）は、ズームレンズの広角端の焦点距離：ｆｗと望遠端の焦点距離：ｆｔとの「相乗平均」であり変倍比に対するひとつの目安となる。  
パラメータ：ｆ１／√（ｆｗ×ｆｔ）は、焦点距離：ｆ１を上記相乗平均で規格化したものである。
【００１４】
パラメータ：ｆ１／√（ｆｗ×ｆｔ）が、下限値：０．５を上回ることにより、第１レンズ群の正の屈折力が強くなりすぎるのを抑制し、第１レンズ群での収差の発生を有効に抑えることができる。また上限値：２を下回ることにより、第１レンズ群の正の屈折力が小さくなりすぎるのを抑制して適度に確保することができ、ズームレンズ全長を短くすることができる。
【００１５】
請求項６における条件（２）は、第２レンズ群の焦点距離：ｆ２を適切に設定するための式であり、パラメータ：ｆ２／√（ｆｗ×ｆｔ）は、焦点距離：ｆ２を上記相乗平均で規格化したものである。
【００１６】
パラメータ：ｆ２／√（ｆｗ×ｆｔ）が、下限値：―１．０を上回ることにより、第２レンズ群の負の屈折力を適度に維持でき、所望のズーム比（特に５倍以上）を得るうえで、第２レンズ群の移動量を小さくすることができ、ズームレンズ全長を短くすることが可能となる。上限値：―０．３を下回ることにより、第２レンズ群の負の屈折力が大きくなりすぎるのを抑制し、第２レンズ群での収差の発生を有効に抑えることができる。
【００１７】
請求項１０記載のズームレンズは、請求項１〜８の任意の１に記載のズームレンズであって「撮像素子の撮像面上に結像させるもの」であり、第１レンズ群が群内に有する「光路を折り曲げるための反射光学素子」が、光路を「撮像面の長手方向に折り曲げる」ことを特徴とする。
【００１８】
ＣＣＤイメージセンサ等の撮像素子の撮像面は一般に「長方形形状」である。  
「光路を、撮像面の長手方向に折り曲げる」とは、「第１レンズ群への入射光軸と、反射光学素子により折り曲げられた光軸とがなす面」が、上記撮像面の長手方向に平行であることを言う。
【００１９】
請求項１０記載のズームレンズは、広角端における全系の焦点距離ｆｗ、最大像高：Ｙ’が、条件：  
（３）  0.5  ＜  ｆｗ／Ｙ’  ＜  1.4    
を満足することが好ましい（請求項１１）。
【００２０】
請求項１０または１１記載のズームレンズは、最物体側面（最も物体側のレンズ面）から反射光学素子の反射面までの光軸上の距離：Ｌ１、上記反射面から像面までの光軸上の距離：Ｌ２が、条件：  
（４）  0.15  ＜  Ｌ１／Ｌ２  ＜  0.22    
を満足することが好ましい（請求項１２）。
【００２１】
請求項１０〜１２の任意の１に記載のズームレンズは、第１レンズ群の光軸上の厚さ（最物体側面から最も像側のレンズ面（最像側面）に至る光軸上の距離）：Ｌｇ１が、条件：
（５）  3  ＜  Ｌｇ１／ｆｗ  ＜  7    
を満足することが好ましい（請求項１３）。
【００２２】
請求項１０〜１３の任意の１に記載のズームレンズは、望遠端における全系の焦点距離：ｆｔ、第１レンズ群内の反射面から像面までの光軸上の距離：Ｌ２が条件：
（６）  1  ＜  Ｌ２／ｆｔ  ＜  3    
を満足することが好ましい（請求項１４）。
【００２３】
請求項１０〜１４の任意の１に記載のズームレンズは、反射光学素子より物体側にある光学素子の合成焦点距離：ｆＬ１、広角端における全系の焦点距離：ｆｗが、条件：
（７）  2  ＜  ｜ｆＬ１／ｆｗ｜  ＜  5      
を満足することが好ましい（請求項１５）。
【００２４】
請求項１０〜１５の任意の１に記載のズームレンズは、第６レンズ群が変倍時に固定されるものであることができ、この場合、最物体面から開口絞りまでの光軸上の距離：Ｔａｐ、ズームレンズの全長：Ｔが、条件：  
（８）  0.3  ＜  Ｔａｐ／Ｔ  ＜  0.7      
を満足することが好ましい（請求項１６）。  
【００２５】
請求項１７記載の撮像装置は、請求項１０〜１６の任意の１に記載のズームレンズと撮像素子を有することを特徴とする。
【００２６】
上記の如く、請求項１０記載のズームレンズでは、光路が、反射光学素子の反射面により「撮像面の長手方向」に折り曲げられる。請求項１記載のズームレンズについて上に説明したように、反射光学素子を用いることで、デジタルカメラ等に用いた場合、カメラの光軸方向の厚さを薄くすることが出来る。
【００２７】
しかしながら、反射光学素子を用いたズームレンズは、第１レンズ群が像面に対して固定のため、高変倍化を達成するためには光学全長が長くなる傾向があり、反射光学素子を第１レンズ群内に設ける、この発明のズームレンズの場合、反射光学素子で折り曲げられた後の光路は長くなりやすい。
【００２８】
撮像面の長手方向は、一般に、撮影時にカメラを構えたとき、左右方向に対応する。反射光学素子により「撮像面の短手方向」で光路を折り曲げた場合、撮像面の長手方向がカメラを構えた時の左右方向に対応させるには、反射光学素子で折り曲げられた後の光路を上下方向とする必要があり、このようにするとカメラ（撮像装置）は「縦長」となり、小型化という面では不利である。
【００２９】
これに対し、請求項１０記載のズームレンズのように「長手折り曲げ」とすれば、カメラの横方向（カメラを構えたときの左右方向）に平行に鏡胴ユニットが配置されるのでカメラの小型化に有利である。
【００３０】
図１８は、この状態を説明するための図である。  
符号４２は撮像装置の外形状を簡略化して「直方体形状」で表している。符合ＩＳは撮像素子の撮像面を示し、符号ＢＬＷは「折り曲げられた光路」を示している。  
図１８（ａ）は、光路を撮像面ＩＳの「短手方向」に折り曲げた場合を示す。撮像装置を構えて撮影を行うときに、撮像面ＩＳが左右方向になるようにすると、必然的に、図１８（ａ）に示すように、折り曲げられた後の長い光路部分が上下方向となるため、撮像装置の外形状は「縦長」となる。
【００３１】
図１８（ｂ）は、光路を撮像面ＩＳの「長手方向」に折り曲げた場合を示す。撮像装置を構えて撮影を行うときに、撮像面ＩＳは、撮像装置の左右一方の側面に、短手方向を上下方向として配置され、折り曲げられた光路ＢＬＷの「折り曲げられた後」の長い光路部分が撮像装置の横方向にして、鏡胴ユニット（図示されず）を配置できる撮像装置の外形状は「横長」となる。
【００３２】
請求項１１記載のズームレンズは、条件（３）を満足する。
条件（３）を満足することにより、反射光学素子を用いたズームレンズの「さらなる広角化」を図ることが出来る。
【００３３】
請求項１２における条件（４）は、反射光学素子を用いるズームレンズにおいて、広角化を実現する上で必要な「収差補正、及びカメラサイズのバランスを最適化する条件」であり、下限値を下回るとレンズ全長が長くなりカメラの横方向の小型化が困難になり、上限値を上回ると第１レンズ群が大型化し、カメラの厚さ方向の小型化が困難になる。
【００３４】
請求項１３における条件（５）も、広角化を実現する上で必要な「収差補正、及びカメラサイズのバランスを最適化する条件」であり、下限値を下回ると各レンズ群のパワーが「強くなりすぎ」て収差補正が困難になる。また、上限値を上回ると第１レンズ群が大型化し、カメラの厚さ方向の小型化が困難になる。
【００３５】
請求項１４記載の条件（６）は、高変倍化したズームレンズの収差補正とカメラサイズのバランスを最適化する条件であり、下限値を下回ると各レンズ群のパワーが強くなりすぎ収差補正が困難になる。また、上限値を上回るとズームレンズが大型化し、カメラの小型化が困難になる。
【００３６】
請求項１５記載の条件（７）も「広角化を実現する上で必要な収差補正、及びカメラサイズのバランスを最適化する条件」であり、下限値を下回ると各レンズ群のパワーが強くなりすぎて収差補正が困難になる。また、上限値を上回ると第１レンズ群が大型化し、カメラの厚さ方向の小型化が困難になる。
【００３７】
請求項１６記載の条件（８）は、ズームレンズ中の「開口絞りの配置に関する条件」を設定したものであり、下限値を下回ることで、開口絞り後のレンズ群、即ち、第３レンズ群の径が大きくなり、収差補正上も不利になる。また、上限値を上回ると、第１レンズ群の径が大きくなり、カメラの小型化に不利になる。
【００３８】
上記の如く、この発明のズームレンズは「正・負・正・負・正・正または正・負・正・負・正・負の６つのレンズ群で構成されるズームレンズ」であり、第２レンズ群が主要な変倍作用を負担する所謂「バリエータ」として構成されるが、第３レンズ群以降のレンズ群にも変倍作用を分担させることにより第２レンズ群の負担を軽くして「高変倍化に伴って困難になる収差補正」に対する補正の自由度を確保している。
【００３９】
第５レンズ群は、変倍に伴う像面位置変動を補正する所謂「コンペンセータ」の働きを担うが、請求項８記載の発明では、物点の移動に応じたフォーカシング機能をも担う。
【００４０】
また、変倍に際して、第１レンズ群、絞り、第４レンズ群、第６レンズ群を固定とすることにより比較的レンズ群の構成数が多いにもかかわらず鏡胴ユニットの大型化を防ぎつつ、広角化、高変倍化を実現できる。
【発明の効果】
【００４１】
以上に説明したように、この発明によれば「新規なズームレンズと撮像装置」を実現できる。この発明のズームレンズは、以下に挙げる具体的な実施例のように「小型で、収差が十分に補正されたズームレンズ」として実施可能である。  
従って、このようなズームレンズを用いることにより小型で性能良好な「デジタルカメラ等の撮像装置」を実現できる。また、撮像装置は小型化できるため、部品の小型化や部品点数の削減による省エネルギにも寄与出来る。
【図面の簡単な説明】
【００４２】
【図１】実施例１のズームレンズのレンズ構成と変倍に伴うレンズ群の変位を示す図である。
【図２】実施例１のズームレンズの広角端における収差図である。
【図３】実施例１のズームレンズのある特定の中間焦点距離における収差図である。
【図４】実施例１のズームレンズの望遠端における収差図である。
【図５】実施例２のズームレンズのレンズ構成と変倍に伴うレンズ群の変位を示す図である。
【図６】実施例２のズームレンズの広角端における収差図である。
【図７】実施例２のズームレンズのある特定の中間焦点距離における収差図である。
【図８】実施例２のズームレンズの望遠端における収差図である。
【図９】実施例３のズームレンズのレンズ構成と変倍に伴うレンズ群の変位を示す図である。
【図１０】実施例３のズームレンズの広角端における収差図である。
【図１１】実施例３のズームレンズのある特定の中間焦点距離における収差図である。
【図１２】実施例３のズームレンズの望遠端における収差図である。
【図１３】実施例４のズームレンズのレンズ構成と変倍に伴うレンズ群の変位を示す図である。
【図１４】実施例４のズームレンズの広角端における収差図である。
【図１５】実施例４のズームレンズのある特定の中間焦点距離における収差図である。
【図１６】実施例４のズームレンズの望遠端における収差図である。
【図１７】撮像装置の１例であるデジタルカメラの実施の１形態のシステム図である。
【図１８】請求項１１にかかる発明の特徴部分を説明するための図である。
【発明を実施するための形態】
【００４３】
以下、ズームレンズの実施の形態を説明する。  
図１は、この発明のズームレンズの実施の１形態を示す図である。この実施の形態は、後述する実施例１に関するものである。  
図１は、レンズ群構成と、変倍に際してのレンズ群の変位を示している。図の上段図が広角端、中段図が特定の中間焦点距離、下段図が望遠端におけるレンズ群の配置状態を示している。矢印は、広角端から望遠端への変倍の際の各レンズ群の変位を示している。
【００４４】
図１に実施の形態を示すズームレンズは、光軸に沿って物体側（図の左方）から順に、正の屈折力を有し、変倍時に固定される第１レンズ群Ｉ、負の屈折力を有する第２レンズ群ＩＩ、正の屈折力を有する第３レンズ群ＩＩＩ、負の屈折力を有し、変倍時固定される第４レンズ群ＩＶ、正の屈折力を有する第５レンズ群Ｖ、負の屈折力を有する第６レンズ群ＶＩを配し、第２レンズ群ＩＩと第３レンズ群ＩＩＩとの間に絞りＳを有してなる。
【００４５】
広角端から望遠端への変倍に際し、第２レンズ群ＩＩ、第３レンズ群ＩＩＩ、第５レンズ群Ｖが移動される。即ち、第２レンズ群ＩＩの像側への変位により第１レンズ群Ｉと第２レンズ群ＩＩの間隔が大きくなる。また第２レンズ群ＩＩの像側への変位と第３レンズ群ＩＩＩの物体側への変位により、第２レンズ群ＩＩと第３レンズ群ＩＩＩの間隔が小さくなり、第３レンズ群ＩＩＩの物体側への変位により、第３レンズ群ＩＩＩと第４レンズ群ＩＶの間隔が大きくなる。そして、第５レンズ群Ｖの像側への変位により、第４レンズ群ＩＶと第５レンズ群Ｖの間隔が大きくなり、第５レンズ群Ｖと第６レンズ群ＶＩの間隔が小さくなる。  
この実施の形態においては、変倍時に、第１レンズ群Ｉ、開口絞りＳ、第４レンズ群ＩＶ、第６レンズ群ＶＩは固定である。
【００４６】
第１レンズ群Ｉは、物体側から順に、物体側に凸面を向け、像面側に非球面を有する負メニスカスレンズと反射光学素子としてのプリズムＰを有し、その像側にさらに２枚の正レンズを配してなる。
【００４７】
第２レンズ群ＩＩは、物体側から順に、像面側に非球面を有する両凹負レンズ、両凹負レンズと両凸正レンズとの接合レンズからなる３枚構成である。  
開口絞りＳは、第２レンズ群ＩＩと第３レンズ群ＩＩＩの間に配置され、第３レンズ群ＩＩＩは、物体側から順に、物体側に非球面を有し、物体側により強い凸面を向けた正メニスカスレンズ、両凸正レンズと両凹負レンズとの接合レンズ、及び両凸の正レンズからなる。
【００４８】
第４レンズ群ＩＶは「物体側に凸面を有し、像面側に非球面を有する負メニスカスレンズ１枚」からなる。  
第５レンズ群Ｖは「物体側に非球面を有する両凸正レンズ１枚」からなる。  
第６レンズ群ＶＩは「物体側に非球面を有し、像面側に凸面を向けた負メニスカスレンズ１枚」から成る。  
図５は、この発明のズームレンズの実施の別形態を示す図である。この実施の形態は、後述する実施例２に関するものである。  
図５は、レンズ群構成と、変倍に際してのレンズ群の変位を図１に倣って示している。
【００４９】
図５に実施の形態を示すズームレンズは、光軸に沿って物体側から順に、正の屈折力を有する第１レンズ群Ｉと、負の屈折力を有する第２レンズ群ＩＩと、正の屈折力を有する第３レンズ群ＩＩＩと、負の屈折力を有する第４レンズ群ＩＶと、正の屈折力を有する第５レンズ群Ｖと、負の屈折力を有する第６レンズ群ＶＩを有し、第２レンズ群ＩＩと第３レンズ群ＩＩＩとの間に開口絞りＳを有する。
【００５０】
広角端から望遠端への変倍に際しては、第２レンズ群ＩＩ、第３レンズ群ＩＩＩ、第５レンズ群Ｖが移動される。即ち、第２レンズ群ＩＩの像側への変位により第１レンズ群Ｉと第２レンズ群ＩＩの間隔が大きくなる。また第２レンズ群ＩＩの像側への変位と第３レンズ群ＩＩＩの物体側への変位により、第２レンズ群ＩＩと第３レンズ群ＩＩＩの間隔が小さくなり、第３レンズ群ＩＩＩの物体側への変位により、第３レンズ群ＩＩＩと第４レンズ群ＩＶの間隔が大きくなる。そして、第５レンズ群Ｖの像側への変位により、第４レンズ群ＩＶと第５レンズ群Ｖの間隔が大きくなり、第５レンズ群Ｖと第６レンズ群ＶＩの間隔が小さくなる。  
この実施の形態においても、変倍時に、第１レンズ群Ｉ、開口絞りＳ、第４レンズ群ＩＶ、第６レンズ群ＶＩは固定である。
【００５１】
第１レンズ群Ｉは、物体側から順に、物体側に凸面を向け、像面側に非球面を有する負メニスカスレンズとプリズムＰを有し、さらに２枚の正レンズとを有してなる。  
第２レンズ群ＩＩは、物体側から順に、像面側に非球面を有する両凹負レンズ、両凹負レンズと両凸正レンズとの接合レンズからなる。  
開口絞りＳは、第２レンズ群ＩＩと第３レンズ群ＩＩＩの間に固定して配置される。
【００５２】
第３レンズ群ＩＩＩは、物体側から順に、物体側に非球面を有し、物体側により強い凸面を向けた両凸正レンズ、両凸正レンズと両凹負レンズの接合レンズ、及び両凸の正レンズからなる。  
第４レンズ群ＩＶは「像面側に非球面を有する両凹負レンズ１枚」からなる。  
第５レンズ群Ｖは「物体側に非球面を有する両凸正レンズ１枚」からなる。  
第６レンズ群ＶＩは「物体側に非球面を有し、像面側に凸面を向けた負メニスカスレンズ１枚」から成る。
【００５３】
図９は、この発明のズームレンズの実施の他の形態を示す図である。この実施の形態は、後述する実施例３に関するものである。  
図９は、レンズ群構成と、変倍に際してのレンズ群の変位を図１に倣って示している。
【００５４】
図９に実施の形態を示すズームレンズは、光軸に沿って物体側から順に、正の屈折力を有する第１レンズ群Ｉと、負の屈折力を有する第２レンズ群ＩＩと、正の屈折力を有する第３レンズ群ＩＩＩと、負の屈折力を有する第４レンズ群ＩＶと、正の屈折力を有する第５レンズ群Ｖと、負の屈折力を有する第６レンズ群ＶＩを有し、第２レンズ群ＩＩと第３レンズ群ＩＩＩとの間に開口絞りＳを有する。
【００５５】
広角端から望遠端への変倍に際しては、第２レンズ群ＩＩ、第３レンズ群ＩＩＩ、第５レンズ群Ｖが移動される。即ち、第２レンズ群ＩＩの像側への変位により第１レンズ群Ｉと第２レンズ群ＩＩの間隔が大きくなる。また第２レンズ群ＩＩの像側への変位と第３レンズ群ＩＩＩの物体側への変位により、第２レンズ群ＩＩと第３レンズ群ＩＩＩの間隔が小さくなり、第３レンズ群ＩＩＩの物体側への変位により、第３レンズ群ＩＩＩと第４レンズ群ＩＶの間隔が大きくなる。そして、第５レンズ群Ｖの像側への変位により、第４レンズ群ＩＶと第５レンズ群Ｖの間隔が大きくなり、第５レンズ群Ｖと第６レンズ群ＶＩの間隔が小さくなる。  
この実施の形態においても、変倍時に、第１レンズ群Ｉ、開口絞りＳ、第４レンズ群ＩＶ、第６レンズ群ＶＩは固定である。
【００５６】
第１レンズ群Ｉは、物体側から順に、物体側に凸面を向け、像面側に非球面を有する負メニスカスレンズとプリズムＰを有し、その像側にさらに２枚の正レンズを有してなる。
【００５７】
第２レンズ群ＩＩは、物体側から順に、像面側に非球面を有する両凹負レンズ、両凹負レンズと両凸正レンズとの接合レンズからなる。  
開口絞りＳは、第２レンズ群ＩＩと第３レンズ群ＩＩＩの間に配置される。
【００５８】
第３レンズ群ＩＩＩは、物体側から順に、物体側に非球面を有し、物体側により強い凸面を向けた正メニスカスレンズ、両凸正レンズと両凹負レンズとの接合レンズ、及び両凸の正レンズからなる。
【００５９】
第４レンズ群ＩＶは「像面側に非球面を有し、物体側に凸の負メニスカスレンズ１枚」からなる。  
第５レンズ群Ｖは「物体側に非球面を有する両凸正レンズ１枚」からなる。  
第６レンズ群ＶＩは「物体側に非球面を有し、像面側に凸面を向けた負メニスカスレンズ１枚」から成る。
【００６０】
図１３は、この発明のズームレンズの実施の１形態を示す図である。この実施の形態は、後述する実施例４に関するものである。  
図１３は、レンズ群構成と、変倍に際してのレンズ群の変位とを図１に倣って示している。
【００６１】
図１３に実施の形態を示すズームレンズは、光軸に沿って物体側から順に、正の屈折力を有する第１レンズ群Ｉと、負の屈折力を有する第２レンズ群ＩＩと、正の屈折力を有する第３レンズ群ＩＩＩと、負の屈折力を有する第４レンズ群ＩＶと、正の屈折力を有する第５レンズ群Ｖと、負の屈折力を有する第６レンズ群ＶＩを有し、第２レンズ群ＩＩと第３レンズ群ＩＩＩとの間に開口絞りＳを有する。
【００６２】
広角端から望遠端への変倍に際しては、第２レンズ群ＩＩ、第３レンズ群ＩＩＩ、第５レンズ群Ｖが移動される。即ち、第２レンズ群ＩＩの像側への変位により第１レンズ群Ｉと第２レンズ群ＩＩの間隔が大きくなる。また第２レンズ群ＩＩの像側への変位と第３レンズ群ＩＩＩの物体側への変位により、第２レンズ群ＩＩと第３レンズ群ＩＩＩの間隔が小さくなり、第３レンズ群ＩＩＩの物体側への変位により、第３レンズ群ＩＩＩと第４レンズ群ＩＶの間隔が大きくなる。そして、第５レンズ群Ｖの像側への変位により、第４レンズ群ＩＶと第５レンズ群Ｖの間隔が大きくなり、第５レンズ群Ｖと第６レンズ群ＶＩの間隔が小さくなる。  
この実施の形態においても、変倍時に、第１レンズ群Ｉ、開口絞りＳ、第４レンズ群ＩＶ、第６レンズ群ＶＩは固定である。
【００６３】
第１レンズ群Ｉは、物体側から順に、物体側に凸面を向け、像面側に非球面を有する負メニスカスレンズとプリズムＰを有し、その像側にさらに２枚の正レンズを配してなる。
【００６４】
第２レンズ群ＩＩは、物体側から順に、像面側に非球面を有する両凹負レンズ、両凹負レンズと両凸正レンズとの接合レンズからなる。  
開口絞りＳは、第２レンズ群ＩＩと第３レンズ群ＩＩＩの間に固定して配置される。
【００６５】
第３レンズ群ＩＩＩは、物体側から順に、物体側に非球面を有し、物体側により強い凸面を向けた両凸正レンズ、両凸正レンズと両凹負レンズとの接合レンズ、及び両凸の正レンズからなる。  
第４レンズ群ＩＶは「像面側に非球面を有する両凹負レンズ１枚」からなる。  
第５レンズ群Ｖは「物体側に非球面を有する両凸正レンズ１枚」からなる。  
第６レンズ群ＶＩは「物体側に非球面を有し、像面側に凸面を向けた負メニスカスレンズ１枚」から成る。
【００６６】
なお、図１、図５、図９、図１３における第１レンズ群Ｉの群内のプリズムＰは「光路を折り曲げるための反射光学素子」である。プリズムＰが存在するので、実際の光路は第１レンズ群中において「プリズムの反射」により折り曲げられるが、図が複雑化するのを避けるため、光路を直線的に展開した状態で示している。
【００６７】
また、図１、図５、図９、図１３において、第６レンズ群ＶＩと像面Ｉとの間に「像面に配設されたＣＣＤ等の固体撮像素子の限界解像以上の空間周波数をカットするためのローパスフィルタや、撮像素子を保護するカバーガラス」に相当する平行平板Ｆ（２枚として描いてある）を有する。
【００６８】
上記のように、上に説明した実施の４形態では、第６レンズ群は屈折力が負であるが、第６レンズ群の屈折力を正としてもよい。第６レンズ群の屈折力を正とすると、射出瞳位置のコントロールが容易になる。
【００６９】
図１７は、この発明の撮像装置の実施の１形態であるデジタルカメラのシステム図を示している。図１７に示すように、デジタルカメラ３０は撮影レンズ３１と撮像素子である受光素子（エリアセンサ）４５を有し、撮影レンズ３１による「撮影対象物の像」を受光素子４５上に結像させて受光素子４５により読み取るように構成されている。
【００７０】
受光素子４５は「カラー撮像素子」である。
撮影レンズ３１としては請求項１〜８、１０〜１６の何れかに記載されたズームレンズ、具体的には、後述の実施例１〜４の何れかが用いられる。また、受光素子４５としては、画素数：５００万〜８００万画素以上のもの、例えば、受光領域の対角長：９．１ｍｍ、画素ピッチ：２．３５μｍ、画素数：略７００万画素のＣＣＤエリアセンサや、受光領域の対角長：９．１ｍｍ、画素ピッチ：２μｍ、画素数：略１０００万画素のＣＣＤエリアセンサ等を使用できる。ファインダ３３は、撮像レンズ３１のズーミングに同期して変倍する。
【００７１】
図１７に示すように、受光素子４５からの出力は中央演算装置４０の制御を受ける信号処理装置４２によって処理されてデジタル情報に変換される。信号処理装置４２によってデジタル化された画像情報は、中央演算装置４０の制御を受ける画像処理装置４１において所定の画像処理を受けた後、半導体メモリ４４に記録される。液晶モニタ３８には「撮影中の画像」を表示することもできるし、「半導体メモリ４４に記録されている画像」を表示することもできる。また、半導体メモリ４４に記録した画像は通信カード４３等を使用して外部へ送信することも可能である。
【００７２】
撮影レンズ３１として用いられるこの発明のズームレンズは、第１レンズ群に配設されたプリズムにより光路を折り曲げられるので、レンズ配置はデジタルカメラのケーシング内で、光路が折り曲げられている。また、変倍の際に第１レンズ群は固定されるので、変倍動作でカメラの外形が変化することが無い。
【００７３】
半導体メモリ４４に記録した画像を液晶モニタ３８に表示したり、通信カード４３等を使用して外部へ送信したりする際は操作ボタン３７の操作により行うこともできる。半導体メモリ４４および通信カード等４３は、それぞれ専用または汎用のスロットに挿入して使用される。ファインダ３３を省略して、液晶モニタ３８を撮影用の画像観察に用いることもできる。
【実施例】
【００７４】
以下、ズームレンズに関する具体的な実施例を４例挙げる。  
実施例のデータにおいて、ｆは「ズームレンズ系全体の焦点距離」、ＦＮＯは「Ｆナンバ」、ωは「半画角（度）」を示す。また、面番号は物体側からの面（絞りの面を含む）の順序、面間隔は光軸上の面間隔を示す。「Ｎｄ」はｄ線（λ＝５８７．６ｎｍ）における媒質の屈折率、「ν」はアッベ数を示す。空気の屈折率（＝１．０００００）は記載を省略する。  
実施例における非球面は、光軸方向のデプスをＸ、近軸曲率半径の逆数（近軸曲率）をＣ、光軸からの高さをＨ、円錐定数をＫ、高次の非球面係数をＡ４、Ａ６・・等として、周知の以下の式で表す。
【００７５】
Ｘ＝ＣＨ２/｛１＋√（１−（１＋Ｋ）Ｃ２Ｈ２）｝    
＋Ａ４・Ｈ４＋Ａ６・Ｈ６＋Ａ８・Ｈ８＋Ａ１０・Ｈ１０＋Ａ１２・Ｈ１２ 
＋Ａ１４・Ｈ１４＋Ａ１６・Ｈ１６＋Ａ１８・Ｈ１８＋・・  
以下の実施例の諸元値において、諸元データ中の焦点距離、曲率半径、面間隔その他の長さの単位は一般に「ｍｍ」が使われるが、光学系は比例拡大又は比例縮小しても同等の光学性能が得られるので、これに限られるものではない。  
「実施例１」
f=5.2〜35.0  、FNO=3.41〜5.91  、ω=38.9〜6.8
面番号  曲率半径      面間隔     Nd      νd  
1     28.71520     0.70000    1.92286   18.90
2     10.60780     4.30000                   
3      ∞          8.00000    1.88300   40.76
4      ∞          8.00000    1.88300   40.76
5      ∞          0.10000                   
6     71.87173     2.64346    1.51633   64.14
7    -16.44232     0.10000                   
8     16.69061     1.85042    1.64000   60.08
9     70.74017     可変（A） 
10    -18.06772     0.80000    2.00330   28.27
11     13.70265     1.34310          
12     -8.40441     0.80000    1.58913   61.15
13     35.84699     1.37144    1.92286   18.90
14    -14.82566     可変（B） 
15      ∞(絞り)    可変（C） 
16     10.40018     2.55979    1.71700   47.93
17    695.19360     4.38175                         
18     10.62658     3.03220    1.61800   63.33
19     -8.68306     0.80000    1.90366   31.32
20      7.41539     0.47196                   
21      7.95016     2.41954    1.48749   70.24
22    -28.32715     可変（D） 
23     21.13305     0.80000    1.92286   18.90
24     10.38558     可変（E） 
25     20.33524     3.00000    1.48749   70.24
26    -11.38514     可変（F） 
27    -12.24222     0.80000    1.77250   49.60
28    -20.52607     0.37154                   
29      ∞          0.30000    1.52300   58.00
30      ∞          0.10000                   
31      ∞          0.50000    1.50000   64.00
32      ∞                          。
【００７６】
「非球面」
「第２面」  
K=   0.00000E+00  
A4= -3.94417E-05  
A6= -4.97773E-07  
A8=  4.02699E-09  
A10=-5.50352E-11  
「第11面」    
K=   0.00000E+00  
A4= -9.62647E-05  
A6=  5.51477E-07  
A8= -7.04684E-08  
A10= 1.55863E-09  
「第16面」    
K=   0.00000E+00  
A4= -4.74120E-05  
A6=  1.07836E-07  
A8= -5.65417E-09  
A10= 6.42398E-11  
「第22面」  
K=   0.00000E+00  
A4=  1.93283E-04  
A6=  1.97214E-06  
A8= -2.90612E-07  
A10= 5.81603E-09  
「第24面」  
K=   0.00000E+00  
A4=  3.10126E-04  
A6=  3.13472E-06  
A8=  8.92131E-07  
A10=-3.31098E-08  
「第25面」  
K=   0.00000E+00  
A4=  1.54388E-04  
A6=  1.44637E-05  
A8=  4.02382E-08  
A10=-9.54432E-09  
「第27面」    
K=   0.00000E+00  
A4=  5.46346E-04  
A6= -2.99878E-05  
A8=  6.59274E-07  
上の表記において、例えば「6.59274E-07」は、「6.59274×10-7」を表す。以下の他の実施例においても同様である。
【００７７】
「可変量」
広角端  中間焦点距離  望遠端  
A  1.174     6.241      10.769  
B 10.164     5.098       0.569  
C 12.128     6.705       0.500  
D  2.688     8.111      14.316  
E  2.410     5.032       5.150  
F  3.228     0.606       0.488                      。
【００７８】
「各条件のパラメータの値」
f1=15.25  
f2=-8.93  
fw＝5.2  
ft＝35.0  
ｆ1／√（ｆｗ×ｆｔ）＝1.13  
ｆ2／√（ｆｗ×ｆｔ）＝-0.66  
Y'＝4.2  
L1＝13  
L2＝69  
Lg1＝25.7  
fL1＝-18.57  
T＝82  
Tap＝41.3  
fw／Y'＝1.24  
L1／L2＝0.19  
Lg1／fw＝4.94  
L2／ft＝1.97  
｜fL1／fw｜＝3.57  
Tap／T＝0.5                                                    。
【００７９】
図２、図３、図４はそれぞれ、実施例１にかかるズームレンズの広角端、ある特定の中間焦点距離、望遠端における諸収差図を表す。非点収差図中の実線はサジタル像面、破線はメリディオナル像面を示す。さらに、コマ収差図は各像高でのコマ収差を表す。尚、各収差図中で「ｄ」はｄ線（λ＝５８７．６ｎｍ）、「ｇ」はｇ線における収差をそれぞれ表す。以下の各実施例においても同様である。
【００８０】
「実施例２」
f=5.2〜35.0  、FNO=3.33〜5.99  、ω=38.9〜6.8
面番号  曲率半径      面間隔     Nd        νd    
1     24.29547     0.70000    1.92286   18.90  
2      9.75657     4.29950                     
3      ∞          8.00000    1.88300   40.76  
4      ∞          8.00000    1.88300   40.76  
5      ∞          0.10000                     
6    200.55230     2.42139    1.51633   64.14  
7    -14.69376     0.10000                     
8     15.42392     2.12568    1.64000   60.08  
9    496.30189     可変（A）  
10    -20.83647     0.80000    2.00330   28.27  
11     11.05282     2.25137                       
12     -7.66956     0.80022    1.58913   61.15  
13     41.04884     1.22166    1.92286   18.90  
14    -14.90628     可変（B）  
15     ∞(絞り)     可変（C）  
16     10.68546     2.65245    1.71700   47.93  
17   -926.63252     4.14070                     
18     11.96583     3.20000    1.61800   63.33  
19     -8.48903     0.80000    1.90366   31.32  
20      8.29429     0.42399                     
21      8.50827     2.57944    1.48749   70.24  
22    -22.42544     可変（D）  
23    -32.79524     0.80000    1.92286   18.90  
24     36.06477     可変（E）  
25     20.95609     3.00000    1.48749   70.24  
26    -10.32363     可変（F）  
27    -14.44984     0.80000    1.77250   49.60  
28    -22.23806     0.11068                     
29      ∞          0.30000    1.52300   58.00  
30      ∞          0.10000                     
31      ∞          0.50000    1.50000   64.00  
32      ∞                                                。
【００８１】
「非球面」
「第２面」  
K=   0.00000E+00  
A4= -2.35463E-05  
A6= -7.98971E-07  
A8=  8.43797E-09  
A10=-1.02004E-10  
「第11面」  
K=   0.00000E+00  
A4= -1.22211E-04  
A6= -6.95451E-08  
A8= -2.75080E-08  
A10=-7.03527E-10  
「第16面」  
K=   0.00000E+00  
A4= -4.53961E-05  
A6=  1.71251E-07  
A8= -4.14722E-09  
A10= 4.77677E-11  
「第22面」  
K=   0.00000E+00  
A4=  2.10011E-04  
A6=  2.54274E-06  
A8= -1.70205E-07  
A10= 2.68822E-09  
「第24面」  
K=   0.00000E+00  
A4=  3.15812E-04  
A6=  2.37810E-06  
A8=  6.93382E-07  
A10=-2.86333E-08  
「第25面」  
K=   0.00000E+00  
A4=  1.47734E-04  
A6=  1.57338E-05  
A8= -1.57764E-07  
A10=-8.67412E-09  
「第27面」  
K=   0.00000E+00  
A4=  3.25997E-04  
A6= -5.01278E-05  
A8=  1.45864E-06                                          。
【００８２】
「可変量」
広角端  中間焦点距離  望遠端
A  0.968      4.567      8.035  
B  7.573      3.973      0.506  
C 12.508      6.489      0.500  
D  5.119     11.138     17.127  
E  1.000      3.848      4.653  
F  3.982      1.133      0.329                            。
【００８３】
「各条件のパラメータの値」  
f1=12.00  
f2=-7.57  
fw＝5.2  
ft＝35.0  
ｆ1／√（ｆｗ×ｆｔ）＝0.89  
ｆ2／√（ｆｗ×ｆｔ）＝-0.56                          
fw＝5.2  
fT＝35  
Y'＝4.2  
L1＝13  
L2＝68.5  
Lg1＝25.75  
fL1＝-18.08  
T＝81.5  
Tap＝39.4  
fw／Y'＝1.24  
L1／L2＝0.19  
Lg1／fw＝4.95  
L2／ft＝1.96  
｜fL1／fw｜＝3.48  
Tap／T＝0.48                                  。
【００８４】
図６、図７、図８はそれぞれ、実施例２にかかるズームレンズの広角端、ある特定の中間焦点距離、望遠端における諸収差図を表す。
【００８５】
「実施例３」
f=5.2〜35.0  、FNO=3.39〜5.80  、ω=38.9〜6.8
面番号  曲率半径      面間隔     Nd      νd    
1     32.03396     0.69892   1.92286   18.90  
2     10.76472     4.30259                       
3      ∞          8.00000   1.88300   40.76  
4      ∞          8.00000   1.88300   40.76  
5      ∞          1.75841                     
6    115.94523     2.93171   1.51633   64.14  
7    -16.97664     0.09982                    
8     18.09178     1.82222   1.64000   60.08  
9     47.88622     可変（A）  
10    -18.80287     0.80040   2.00330   28.27
11     17.51536     1.31481                     
12    -10.84426     0.80000   1.58913   61.15  
13     30.97094     2.75616   1.92286   18.90  
14    -19.18998     可変（B）  
15      ∞(絞り)    可変（C）  
16     10.41903     2.52085   1.71700   47.93  
17    464.64637     4.42532                     
18      9.76213     2.75103   1.61800   63.33  
19     -9.30396     0.80000   1.90366   31.32  
20      6.70577     0.55354                     
21      7.65800     2.14226   1.48749   70.24  
22    -40.70216     可変（D）  
23     20.37002     0.79978   1.92286   18.90  
24      9.00942     可変（E）  
25     30.29651     2.99986   1.48749   70.24  
26     -9.79500     可変（F）  
27    -12.24779     0.80451   1.77250   49.60  
28    -16.18715     0.10004                     
29      ∞          0.30000   1.52300   58.00  
30      ∞          0.10000                     
31      ∞          0.50000   1.50000   64.00  
32      ∞                                                    。
【００８６】
「非球面」  
「第２面」    
K=   0.00000E+00  
A4= -4.00372E-05  
A6= -5.29555E-07  
A8=  5.09620E-09  
A10=-6.84250E-11  
「第11面」  
K=   0.00000E+00  
A4= -4.18732E-05  
A6=  8.80211E-07  
A8= -8.86591E-08  
A10= 2.43942E-09  
「第16面」  
K=   0.00000E+00  
A4= -4.08532E-05  
A6=  5.83588E-08  
A8= -6.04882E-09  
A10= 6.61854E-11  
「第22面」  
K=   0.00000E+00  
A4=  1.02687E-04  
A6= -5.99383E-07  
A8= -3.0147E-07  
A10= 4.04148E-09  
「第24面」  
K=   0.00000E+00  
A4=  3.91184E-04  
A6=  6.74675E-06  
A8=  1.26729E-06  
A10=-5.59803E-08  
「第25面」  
K=   0.00000E+00  
A4=  1.84460E-04  
A6=  1.50591E-05  
A8=  2.64295E-07  
A10=-1.77378E-08  
「第27面」  
K=   0.00000E+00  
A4=  7.14836E-04  
A6= -5.38187E-05  
A8=  1.24153E-06                                              。
【００８７】
「可変量」
広角端  中間焦点距離  望遠端  
A  1.30888   8.95756   14.52007  
B 13.77021   6.12143    0.55838  
C 11.76575   7.50884    0.50038  
D  3.57353   7.83025   14.83876  
E  2.67224   5.71149    5.82142  
F  3.55702   0.51762    0.40777                                。
【００８８】
「各条件のパラメータの値」
f1=19.00  
f2=-11.09  
fw＝5.2  
ft＝35.0  
ｆ1／√ｆｗ×ｆｔ）＝1.41  
ｆ2／√（ｆｗ×ｆｔ）＝-0.82                            
Y'＝4.2  
L1＝13  
L2＝75.7  
Lg1＝27.61  
fL1＝-17.85  
T＝88.7  
Tap＝48.4  
fw／Y'＝1.24  
L1／L2＝0.17  
Lg1／fw＝5.31  
L2／ft＝2.16  
｜fL1／fw｜＝3.43  
Tap／T＝0.55                                          。
【００８９】
図１０、図１１、図１２はそれぞれ、実施例３にかかるズームレンズの広角端、ある特定の中間焦点距離、望遠端における諸収差図を表す。
【００９０】
「実施例４」  
f=5.2〜35.0  、FNO=3.57〜5.85  、ω=38.9〜6.8
面番号  曲率半径      面間隔     Nd      νd    
1     28.31032     0.70000   1.92286   18.90  
2     11.25635     4.30000                        
3      ∞          8.00000   1.88300   40.76  
4      ∞          8.00000   1.88300   40.76  
5      ∞          0.10000                     
6     85.85108     2.71603   1.51633   64.14  
7    -17.03452     0.10000                     
8     16.20458     2.25308   1.64000   60.08  
9    910.38236     可変（A）  
10    -31.86938     0.80000   2.00330   28.27  
11      9.20213     2.94713                    
12     -7.46158     1.06977   1.58913   61.15  
13     35.36813     1.23606   1.92286   18.90  
14    -16.73301     可変（B）  
15     ∞(絞り)     可変（C）  
16     10.71389     2.84516   1.71700   47.93  
17  -3109.41267     4.32612                     
18     11.54987     3.02339   1.61800   63.33  
19     -8.68996     0.80000   1.90366   31.32  
20      8.58883     0.44713                     
21      8.82218     2.40401   1.48749   70.24  
22    -19.30681     可変（D）  
23   -104.23069     0.80000   1.92286   18.90  
24     16.11154     可変（E）  
25     21.61061     3.00000   1.48749   70.24  
26    -10.11978     可変（F）  
27    -10.32054     0.80000   1.77250   49.60  
28    -12.64506     0.10000                     
29      ∞          0.30000   1.52300   58.00  
30      ∞          0.10000                     
31      ∞          0.50000   1.50000   64.00  
32      ∞                                                    。
【００９１】
「非球面」  
「第２面」  
K=   0.00000E+00  
A4= -2.71728E-06  
A6= -3.58900E-07  
A8=  1.70392E-09  
A10= 4.11931E-13  
「第11面」  
K=   0.00000E+00  
A4= -1.24369E-04  
A6=  1.17040E-06  
A8= -9.36061E-08  
A10=-1.94537E-09  
「第16面」  
K=   0.00000E+00  
A4= -5.03986E-05  
A6=  1.88819E-07  
A8= -4.04258E-09  
A10= 4.05202E-11  
「第22面」  
K=   0.00000E+00  
A4=  2.35721E-04  
A6=  1.56156E-06  
A8= -1.45635E-07  
A10= 2.75915E-09  
「第24面」  
K=   0.00000E+00  
A4=  3.77794E-04  
A6=  1.16807E-05  
A8=  6.58942E-07  
A10=-4.47280E-08  
「第25面」  
K=   0.00000E+00  
A4=  1.70399E-04  
A6=  2.68367E-05  
A8=  1.09834E-08  
A10=-3.07464E-08  
「第27面」    
K=   0.00000E+00  
A4=  3.59460E-04  
A6= -5.08998E-05  
A8=  1.62131E-06                                                    。
【００９２】
「可変量」
広角端  中間焦点距離  望遠端  
A  0.889     5.001      8.828  
B  8.566     4.454      0.628  
C 11.188     5.755      0.500  
D  5.424    10.858     16.113  
E  1.000     3.351      3.485  
F  3.167     0.816      0.682                                      。
【００９３】
「各条件のパラメータの値」
f1=12.9  
f2=-7.0  
fw＝5.2  
ft＝35.0  
ｆ1／√（ｆｗ×ｆｔ）＝0.96  
ｆ2／√（ｆｗ×ｆｔ）＝-0.52                        
Y'＝4.2  
L1＝13  
L2＝69.5  
Lg1＝26.17  
fL1＝-20.65  
T＝82.5  
Tap＝41.7  
fw／Y'＝1.24  
L1／L2＝0.19  
Lg1／fw＝5.03  
L2／ft＝1.99  
｜fL1／fw｜＝3.97  
Tap／T＝0.51                                      。
【００９４】
図１４、図１５、図１６はそれぞれ、実施例４にかかるズームレンズの広角端、ある特定の中間焦点距離、望遠端における諸収差図を表す。
【００９５】
これら実施例１〜４のズームレンズは何れも、広角端における半画角：３８度以上（実施例１〜４とも３８．９度）で、変倍比：５倍以上（実施例１〜４とも６．７３倍）であり（請求項４）、所望の広画角・高変倍比を実現している。
【００９６】
また、実施例１〜４のズームレンズとも、第１レンズ群の焦点距離：ｆ１、広角端における全系の焦点距離：ｆｗ、望遠端における全系の焦点距離：ｆｔが、条件：
(１) 0.5 ＜ ｆ1／√（ｆｗ×ｆｔ） ＜ 2 
を満足し（請求項５）、第２レンズ群の焦点距離：ｆ２、広角端における全系の焦点距離：ｆｗ、望遠端における全系の焦点距離：ｆｔが、条件： 
（２） -1.0 ＜ ｆ2／√（ｆｗ×ｆｔ） ＜ -0.3 
を満足する（請求項６）。
【００９７】
また、実施例１〜４のズームレンズとも、広角端における全系の焦点距離ｆｗ、最大像高：Ｙ’が、条件：
（３）  0.5  ＜  ｆｗ／Ｙ’  ＜  1.4  
を満足し、最物体側面から反射光学素子の反射面までの光軸上の距離：Ｌ１、上記反射面から像面までの光軸上の距離：Ｌ２が、条件：
（４） 0.15 ＜ Ｌ１／Ｌ２ ＜ 0.22 
を満足し、第１レンズ群の光軸上の厚さ：Ｌｇ１が、条件：
（５） 3 ＜ Ｌｇ１／ｆｗ ＜ 7 
を満足する。
【００９８】
また、望遠端における全系の焦点距離：ｆｔ、第１レンズ群内の反射面から像面までの光軸上の距離：Ｌ２が条件：  
（６）  1  ＜  Ｌ２／ｆｔ  ＜  3      
を満足し、反射光学素子より物体側にある光学素子の合成焦点距離：ｆＬ１、広角端における全系の焦点距離：ｆｗが、条件：  
（７）  2  ＜  ｜ｆＬ１／ｆｗ｜  ＜  5    
を満足し、最物体面から開口絞りまでの光軸上の距離：Ｔａｐ、ズームレンズの全長：Ｔが、条件：  
（８）  0.3  ＜  Ｔａｐ／Ｔ  ＜  0.7    
を満足する。
【００９９】
また、実施例１〜４のズームレンズは何れも、絞りＳが変倍時に固定され、変倍時およびフォーカシング時に、第６レンズ群ＶＩが固定であり、フォーカシングは第５レンズ群Ｖにより行う。
【符号の説明】
【０１００】
Ｉ      第１レンズ群  
ＩＩ    第２レンズ群  
ＩＩＩ  第３レンズ群  
ＩＶ    第４レンズ群  
Ｖ      第５レンズ群  
ＶＩ    第６レンズ群  
Ｓ      絞り
【先行技術文献】
【特許文献】
【０１０１】
【特許文献１】特開平８−２４８３１８号公報
【特許文献２】特開２００５−２１５１６５号公報
【図１】
0005601405.tif 000002
【図２】
0005601405.tif 000003
【図３】
0005601405.tif 000004
【図４】
0005601405.tif 000005
【図５】
0005601405.tif 000006
【図６】
0005601405.tif 000007
【図７】
0005601405.tif 000008
【図８】
0005601405.tif 000009
【図９】
0005601405.tif 000010
【図１０】
0005601405.tif 000011
【図１１】
0005601405.tif 000012
【図１２】
0005601405.tif 000013
【図１３】
0005601405.tif 000014
【図１４】
0005601405.tif 000015
【図１５】
0005601405.tif 000016
【図１６】
0005601405.tif 000017
【図１７】
0005601405.tif 000018
【図１８】
0005601405.tif 000019